【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
ピアツーピアコンピュータ環境の資源を利用するためのコンピュータに実装された方法であって、前記方法は、
開ノードコンピュータシステムにおいて第１プロトコルを用いてピアツーピアコンピュータ環境との接続を確立し、
前記開ノードコンピュータシステムにおいて、ピアツーピアコンピュータ環境と現在連携していないユーザコンピュータシステムから、第２プロトコルを用いてサービスの要求を受信し、
ピアツーピアコンピュータ環境の資源を用いて前記サービスの要求を完了する、ことを備えるコンピュータに実装された方法。
【請求項２】
請求項１に記載のコンピュータに実装された方法であって、
前記第１プロトコルは、ピアツーピアプロトコルである、ことを特徴とするコンピュータに実装された方法。
【請求項３】
請求項２に記載のコンピュータに実装された方法であって、
前記ピアツーピアプロトコルは、ゴシッププロトコルである、ことを特徴とするコンピュータに実装された方法。
【請求項４】
請求項１に記載のコンピュータに実装された方法であって、
前記第１プロトコルは、ビットトレントプロトコルである、ことを特徴とするコンピュータに実装された方法。
【請求項５】
請求項１から４のいずれかに記載のコンピュータに実装された方法であって、
前記第２プロトコルは、ユーザデータグラムプロトコル（ＵＤＰ）に基づくプロトコルである、ことを特徴とするコンピュータに実装された方法。
【請求項６】
請求項１から４のいずれかに記載のコンピュータに実装された方法であって、
前記第２プロトコルは、トランスミッションコントロールプロトコル（ＴＣＰ）に基づくプロトコルである、ことを特徴とするコンピュータに実装された方法。
【請求項７】
請求項１から４のいずれかに記載のコンピュータに実装された方法であって、
前記第２プロトコルは、ハイパーテキストトランスファープロトコル（ＨＴＴＰ）に基づくプロトコルである、ことを特徴とするコンピュータに実装された方法。
【請求項８】
ピアツーピアコンピュータ環境の資源を利用するためのコンピュータに実装された方法であって、前記方法は、
ピアツーピアコンピュータ環境と連携したコンピュータシステムを用いてピアツーピアコンピュータ環境に配置された開ノードのリストでドメイン名サーバを更新し
前記開ノードは、第１プロトコルを用いてユーザコンピュータシステムと接続可能であり、第２プロトコルを用いて前記ピアツーピアコンピュータ環境と連携したピアコンピュータシステムと接続可能である、ことを特徴とするコンピュータに実装された方法。
【請求項９】
コンピュータシステムにピアツーピアコンピュータ環境の資源を利用するステップを実行させるための命令が一体化されて保持されるコンピュータ利用可能保存媒体であって、
開ノードコンピュータシステムにおいて第１プロトコルを用いてピアツーピアコンピュータ環境との接続を確立し、
前記開ノードコンピュータシステムにおいて、ピアツーピアコンピュータ環境と現在連携していないユーザコンピュータシステムから、第２プロトコルを用いてサービスの要求を受信し、
ピアツーピアコンピュータ環境の資源を用いて前記サービスの要求を完了する、を備えるコンピュータ利用可能保存媒体。
【請求項１０】
請求項９に記載のコンピュータ利用可能保存媒体であって、
前記第１プロトコルは、ピアツーピアプロトコルである、ことを特徴とするコンピュータ利用可能保存媒体。
【請求項１１】
請求項１０に記載のコンピュータ利用可能保存媒体であって、
前記ピアツーピアプロトコルは、ゴシッププロトコルである、ことを特徴とするコンピュータ利用可能保存媒体。
【請求項１２】
請求項９に記載のコンピュータ利用可能保存媒体であって、
前記第１プロトコルは、ビットトレントプロトコルである、ことを特徴とするコンピュータ利用可能保存媒体。
【請求項１３】
請求項９から１２のいずれかに記載のコンピュータ利用可能保存媒体であって、
前記第２プロトコルは、ユーザデータグラムプロトコル（ＵＤＰ）に基づくプロトコルである、ことを特徴とするコンピュータ利用可能保存媒体。
【請求項１４】
請求項９から１２のいずれかに記載のコンピュータ利用可能保存媒体であって、
前記第２プロトコルは、トランスミッションコントロールプロトコル（ＴＣＰ）に基づくプロトコルである、ことを特徴とするコンピュータ利用可能保存媒体。
【請求項１５】
請求項９から１２のいずれかに記載のコンピュータ利用可能保存媒体であって、
前記第２プロトコルは、ハイパーテキストトランスファープロトコル（ＨＴＴＰ）に基づくプロトコルである、ことを特徴とするコンピュータ利用可能保存媒体。
【請求項１６】
コンピュータシステムにピアツーピアコンピュータ環境の資源を利用するステップを実行させるための命令が一体化されて保持されるコンピュータ利用可能保存媒体であって、
ピアツーピアコンピュータ環境と連携したコンピュータシステムを用いてピアツーピアコンピュータ環境に配置された開ノードのリストでドメイン名サーバを更新し
前記開ノードは、第１プロトコルを用いてユーザコンピュータシステムと接続可能であり、第２プロトコルを用いて前記ピアツーピアコンピュータ環境と連携したピアコンピュータシステムと接続可能である、ことを特徴とするコンピュータ利用可能保存媒体。
【請求項１７】
ピアツーピアコンピュータ環境の資源を利用するためのコンピュータに実装された方法であって、前記方法は、
前記ピアツーピアコンピュータ環境と現在連携していないユーザコンピュータシステムにおいて、第１プロトコルを用いてコンピュータネットワークを介して、サービスを要求し、
前記ユーザコンピュータシステムによる前記サービスの要求に応答して、前記ピアツーピアコンピュータ環境に配置された開ノードコンピュータシステムにアクセスし、
前記開ノードコンピュータシステムが、前記ピアツーピアコンピュータ環境の資源を用いるサービスを完了して、前記開ノードコンピュータシステムからサービスの要求の完了を受信する、ことを備えるコンピュータに実装された方法。
【請求項１８】
請求項１７に記載のコンピュータに実装された方法であって、
前記サービスの要求は、最初にドメイン名サーバにコンタクトする、ことを特徴とすることを特徴とするコンピュータに実装された方法。
【請求項１９】
請求項１７または１８に記載のコンピュータに実装された方法であって、
前記サービスの要求は、前記サービスを要求するためにウェブブラウザアプリケーションを使用する、ことを特徴とするコンピュータに実装された方法。
【請求項２０】
請求項１７または１８に記載のコンピュータに実装された方法であって、
前記第１プロトコルは、ピアツーピアプロトコルではない、ことを特徴とする、ことを特徴とするコンピュータに実装された方法。
【請求項２１】
請求項１７または１８に記載のコンピュータに実装された方法であって、
前記ピアツーピアコンピュータ環境は、ピアツーピアプロトコルを用いて、通信し、資源を割り当て、サービスを供給する、ことを特徴とするコンピュータに実装された方法。
【請求項２２】
請求項１７または１８に記載のコンピュータに実装された方法であって、
前記第１プロトコルは、ユーザデータグラムプロトコル（ＵＤＰ）に基づくプロトコルである、ことを特徴とするコンピュータに実装された方法。
【請求項２３】
請求項１７または１８に記載のコンピュータ利用可能保存媒体であって、
前記第２プロトコルは、トランスミッションコントロールプロトコル（ＴＣＰ）に基づくプロトコルである、ことを特徴とするコンピュータに実装された方法。
【請求項２４】
請求項１７または１８に記載のコンピュータ利用可能保存媒体であって、
前記第１プロトコルは、ハイパーテキストトランスファープロトコル（ＨＴＴＰ）に基づくプロトコルである、ことを特徴とするコンピュータに実装された方法。
【請求項２５】
請求項１に記載のコンピュータに実装された方法であって、
前記サービスの前記要求は、前記ユーザコンピュータシステムに前記ピアツーピアコンピュータ環境におけるノードになることを要求することなく、前記ピアツーピアコンピュータ環境の資源を用いて完了され、
前記ユーザコンピュータシステムは、前記ユーザコンピュータシステムに付加的なソフトウェアをインストールすることを要求することなく、ウェブブラウザアプリケーションを介して前記第２プロトコルを用いて前記要求を生成する、ことを特徴とするコンピュータに実装された方法。
【請求項２６】
請求項８に記載のコンピュータに実装された方法であって、
前記開ノードは、前記ユーザコンピュータシステムに前記ピアツーピアコンピュータ環境におけるノードになることを要求することなく、前記第１プロトコルを用いてユーザコンピュータシステムと接続可能であり、前記第２プロトコルを用いて前記ピアツーピアコンピュータ環境と連携したピアコンピュータシステムと接続可能であり、
前記ユーザコンピュータシステムは、前記ユーザコンピュータシステムに付加的なソフトウェアをインストールすることを要求することなく、ウェブブラウザアプリケーションを介して前記第１プロトコルを用いて前記開ノードと接続する、ことを特徴とするコンピュータに実装された方法。
【請求項２７】
請求項９に記載のコンピュータ利用可能保存媒体であって、
前記サービスの前記要求は、前記ユーザコンピュータシステムに前記ピアツーピアコンピュータ環境におけるノードになることを要求することなく、前記ピアツーピアコンピュータ環境の資源を用いて完了され、
前記ユーザコンピュータシステムは、前記ユーザコンピュータシステムに付加的なソフトウェアをインストールすることを要求することなく、ウェブブラウザアプリケーションを介して前記第２プロトコルを用いて前記要求を生成する、ことを特徴とするコンピュータ利用可能保存媒体。
【請求項２８】
請求項１６に記載のコンピュータ利用可能保存媒体であって、
前記開ノードは、前記ユーザコンピュータシステムに前記ピアツーピアコンピュータ環境におけるノードになることを要求することなく、前記第１プロトコルを用いてユーザコンピュータシステムと接続可能であり、前記第２プロトコルを用いて前記ピアツーピアコンピュータ環境と連携したピアコンピュータシステムと接続可能であり、
前記ユーザコンピュータシステムは、前記ユーザコンピュータシステムに付加的なソフトウェアをインストールすることを要求することなく、ウェブブラウザアプリケーションを介して前記第１プロトコルを用いて前記開ノードと接続する、ことを特徴とするコンピュータ利用可能保存媒体。
【請求項２９】
請求項１７に記載のコンピュータに実装された方法であって、
前記開ノードコンピュータシステムは、前記ユーザコンピュータシステムに前記ピアツーピアコンピュータ環境におけるノードになることを要求することなく、前記ピアツーピアコンピュータ環境の資源を用いて前記サービスを完了し、
前記ユーザコンピュータシステムは、前記ユーザコンピュータシステムに付加的なソフトウェアをインストールすることを要求することなく、ウェブブラウザアプリケーションを介して前記第１プロトコルを用いて前記要求を実行する、ことを特徴とするコンピュータに実装された方法。